【手続補正書】
【提出日】平成17年3月17日(2005.3.17)
【手続補正１】
【補正対象書類名】明細書
【補正対象項目名】発明の名称
【補正方法】変更
【補正の内容】
【発明の名称】感光体判定方法および感光体判定装置、感光体判定を実行させるプログラムを記録した記録媒体
【手続補正２】
【補正対象書類名】明細書
【補正対象項目名】特許請求の範囲
【補正方法】変更
【補正の内容】
【特許請求の範囲】
【請求項１】
支持体上に感光層を形成した電子写真用感光体を用いて出力した画像の光学情報を測定し、
前記光学情報から画像書き込みにおける主走査方向および副走査方向のスジ状のノイズを除去したノイズ除去後画像を作成し、
前記ノイズ除去後画像の空間的不均一性を評価し、
該不均一性から感光体の良否判定を行うことを特徴とした感光体判定方法であって、
処理対象となる画像情報の任意の注目画素について、該注目画素にノイズの発生方向に隣接する所定領域の画素の平均値を算出し、該注目画素値より該平均値を減算した値を前記注目画素の値とすることにより前記ノイズ除去後画像を作成することを特徴とする感光体判定方法。
【請求項２】
請求項１記載の感光体判定方法において、
前記ノイズの発生方向が複数方向に存在する場合、各方向に前記ノイズ除去を行うことを特徴とする感光体判定方法。
【請求項３】
前記不均一性を評価する方法は、
不均一性に対する評価量として標準偏差を用いることを特徴とした請求項１または２記載の感光体判定方法。
【請求項４】
前記不均一性を評価する方法において、
不均一性に対する評価量として粒状度を用いることを特徴とした請求項１または２記載の感光体判定方法。
【請求項５】
前記不均一性を評価する方法において、
不均一性に対する評価量として画像内の光学情報変動により形成される斑点状の不均一領域の面積に対する頻度分布から算出される特徴量を用いることを特徴とする請求項１または２記載の感光体判定方法。
【請求項６】
請求項１から５のいずれかに記載の感光体判定方法において、
判定を行う感光体はスプレー塗工により製造された感光体であることを特徴とする感光体判定方法。
【請求項７】
請求項６記載の感光体判定方法において、
判定を行う感光体は最外層をスプレー塗工により形成した感光体であることを特徴とする感光体判定方法。
【請求項８】
支持体上に感光層を形成した電子写真用感光体を用いて出力した画像の光学情報を読み取る画像読み取り手段と、
出力された画像の光学情報から、画像書き込みにおける主走査方向および副走査方向のスジ状のノイズを除去したノイズ除去後画像を作成するノイズ除去後画像作成手段と、
該ノイズ除去後画像の空間的不均一性を評価する不均一性評価手段と、
該不均一性評価量から感光体の良否判定を行う良否判定手段と、
を有する感光体判定装置であって、
前記ノイズ除去後画像作成手段は、処理対象となる画像情報の任意の注目画素について、該注目画素にノイズの発生方向に隣接する所定領域の画素の平均値を算出する周辺領域平均値算出手段と、前記注目画素から前記平均値を減算する平均値減算手段と、
を有することを特徴とする感光体判定装置。
【請求項９】
請求項８記載の感光体判定装置において、
ノイズの発生方向が複数方向に存在する場合、各方向に請求項８記載の処理を行うことを特徴とした感光体判定装置。
【請求項１０】
前記不均一性評価手段は、
不均一性に対する評価量として標準偏差を用いることを特徴とした請求項８または９記載の感光体判定装置。
【請求項１１】
前記不均一性評価手段は、
不均一性に対する評価量として粒状度を用いることを特徴とした請求項８または９記載の感光体判定装置。
【請求項１２】
前記不均一性評価手段は、
不均一性に対する評価量として画像内の光学情報変動により形成される斑点状の不均一領域の面積に対する頻度分布から算出される特徴量を用いることを特徴とした請求項８または９記載の感光体判定装置。
【請求項１３】
請求項８から１２のいずれか１項に記載の感光体判定装置において、
判定を行う感光体はスプレー塗工により製造された感光体であることを特徴とする感光体判定装置。
【請求項１４】
請求項８から１３のいずれか１項に記載の感光体判定装置において、
判定を行う感光体は最外層をスプレー塗工により形成した感光体であることを特徴とする感光体判定装置。
【請求項１５】
請求項１から７のいずれか１項に記載の感光体判定方法をコンピュータに実行させるプログラムとして記録したことを特徴とする記録媒体。
【手続補正３】
【補正対象書類名】明細書
【補正対象項目名】００２８
【補正方法】変更
【補正の内容】
【００２８】
【課題を解決するための手段】
上記目的を達成するために、請求項１記載の感光体判定方法は、支持体上に感光層を形成した電子写真用感光体を用いて出力した画像の光学情報を測定し、光学情報から画像書き込みにおける主走査方向および副走査方向のスジ状のノイズを除去したノイズ除去後画像を作成し、ノイズ除去後画像の空間的不均一性を評価し、不均一性から感光体の良否判定を行うことを特徴とした感光体判定方法であって、処理対象となる画像情報の任意の注目画素について、注目画素にノイズの発生方向に隣接する所定領域の画素の平均値を算出し、注目画素値より平均値を減算した値を注目画素の値とすることによりノイズ除去後画像を作成することを特徴とする。
【手続補正４】
【補正対象書類名】明細書
【補正対象項目名】００２９
【補正方法】変更
【補正の内容】
【００２９】
請求項２記載の発明は、請求項１記載の感光体判定方法であって、ノイズの発生方向が複数方向に存在する場合、各方向にノイズ除去行うことを特徴とする。
【手続補正５】
【補正対象書類名】明細書
【補正対象項目名】００３０
【補正方法】変更
【補正の内容】
【００３０】
請求項３記載の発明は、請求項１または２記載の感光体判定方法であって、不均一性を評価する方法は、不均一性に対する評価量として標準偏差を用いることを特徴とする。
【手続補正６】
【補正対象書類名】明細書
【補正対象項目名】００３１
【補正方法】変更
【補正の内容】
【００３１】
請求項４記載の発明は、請求項１または２記載の感光体判定方法であって、不均一性を評価する方法において、不均一性に対する評価量として粒状度を用いることを特徴とする。
【手続補正７】
【補正対象書類名】明細書
【補正対象項目名】００３２
【補正方法】変更
【補正の内容】
【００３２】
請求項５記載の発明は、請求項１または２記載の感光体判定方法であって、不均一性を評価する方法において、不均一性に対する評価量として画像内の光学情報変動により形成される斑点状の不均一領域の面積に対する頻度分布から算出される特徴量を用いることを特徴とする。
【手続補正８】
【補正対象書類名】明細書
【補正対象項目名】００３３
【補正方法】変更
【補正の内容】
【００３３】
請求項６記載の発明は、請求項１から５のいずれか１項に記載の感光体判定方法であって、判定を行う感光体スプレー塗工により製造された感光体であることを特徴とする。
【手続補正９】
【補正対象書類名】明細書
【補正対象項目名】００３４
【補正方法】変更
【補正の内容】
【００３４】
請求項７記載の発明は、請求項６記載の感光体判定方法であって、判定を行う感光体は最外層をスプレー塗工により形成した感光体であることを特徴とする。
【手続補正１０】
【補正対象書類名】明細書
【補正対象項目名】００３５
【補正方法】変更
【補正の内容】
【００３５】
請求項８記載の感光体判定装置は、支持体上に感光層を形成した電子写真用感光体を用いて出力した画像の光学情報を読み取る画像読み取り手段と、出力された画像の光学情報から、画像書き込みにおける主走査方向および副走査方向のスジ状のノイズを除去したノイズ除去後画像を作成するノイズ除去後画像作成手段と、ノイズ除去後画像の空間的不均一性を評価する不均一性評価手段と、不均一性評価量から感光体の良否判定を行う良否判定手段とを有する感光体判定装置であって、ノイズ除去後画像作成手段は、処理対象となる画像情報の任意の注目画素について注目画素にノイズの発生方向に隣接する所定領域の画素の平均値を算出する周辺領域平均値算出手段と、注目画素値から平均値を減算する平均値減算手段とを有することを特徴とする。
【手続補正１１】
【補正対象書類名】明細書
【補正対象項目名】００３６
【補正方法】変更
【補正の内容】
【００３６】
請求項９記載の発明は、請求項８記載の感光体判定装置であって、ノイズの発生方向が複数方向に存在する場合、各方向に請求項８記載の処理を行うことを特徴とする。
【手続補正１２】
【補正対象書類名】明細書
【補正対象項目名】００３７
【補正方法】変更
【補正の内容】
【００３７】
請求項１０記載の発明は、請求項８または９記載の感光体判定装置であって、不均一性評価手段は、不均一性に対する評価量として標準偏差を用いることを特徴とする。
【手続補正１３】
【補正対象書類名】明細書
【補正対象項目名】００３８
【補正方法】変更
【補正の内容】
【００３８】
請求項１１記載の発明は、請求項８または９記載の感光体判定装置であって、不均一性評価手段は、不均一性に対する評価量として粒状度を用いることを特徴とする。
【手続補正１４】
【補正対象書類名】明細書
【補正対象項目名】００３９
【補正方法】変更
【補正の内容】
【００３９】
請求項１２記載の発明は、請求項８または９記載の感光体判定装置であって、不均一性評価手段は、不均一性に対する評価量として画像内の光学情報変動により形成される斑点状の不均一領域の面積に対する頻度分布から算出される特徴量を用いることを特徴とする。
【手続補正１５】
【補正対象書類名】明細書
【補正対象項目名】００４０
【補正方法】変更
【補正の内容】
【００４０】
請求項１３記載の発明は、請求項８から１２のいずれか１項に記載の感光体判定装置であって、判定を行う感光体はスプレー塗工により製造された感光体であることを特徴とする。
【手続補正１６】
【補正対象書類名】明細書
【補正対象項目名】００４１
【補正方法】変更
【補正の内容】
【００４１】
請求項１４記載の発明は、請求項８から１３のいずれか１項に記載の感光体判定装置において、判定を行う感光体は最外層をスプレー塗工により形成した感光体であることを特徴とする。
【手続補正１７】
【補正対象書類名】明細書
【補正対象項目名】００４２
【補正方法】変更
【補正の内容】
【００４２】
請求項１５記載の記録媒体は、請求項１から７のいずれか１項に記載の感光体判定方法をコンピュータに実行させるプログラムとして記録したことを特徴とする。
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】削除
【補正の内容】
【手続補正２２】
【補正対象書類名】明細書
【補正対象項目名】００４７
【補正方法】削除
【補正の内容】
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】削除
【補正の内容】
【手続補正２５】
【補正対象書類名】明細書
【補正対象項目名】００５０
【補正方法】削除
【補正の内容】
【手続補正２６】
【補正対象書類名】明細書
【補正対象項目名】００５１
【補正方法】削除
【補正の内容】